(57)【要約】      （修正有）【課題】特に雪国では大雪に晒され、強風地域では、台風などの強風が襲いかかり、ビニール・ハウスを用いる温室栽培農業が休眠状態でやむなく放置せざるを得ない状況にある農家をこうした脅威から解放する手段を提供する。【解決手段】ビニールに多数の鳩目穴を開け、穴同志を重ねて連結紐で結んでビニールの耐力を高める。一方、合成樹脂の板を重ねてその内部に細い鉄棒を網状に溶接した状態で挟み込み接着ボンドで固定する。【選択図】図１
2014204703.tif 000002
【特許請求の範囲】
【請求項１】
ビニール・ハウスの上部中央に細長いビニール巻取り器を具備し、その横側に制御室を有し、モーター、ギア、巻取り器、ＩＣ制御によりコントロールされるよう構成されたことを特徴とする携帯電話操作雪国、強風地域用ビニール・ハウス及び合成樹脂板ハウスと鉄棒入り合成樹脂板の構造。
【請求項２】
厚手ビニール全体の縦横の縁に公知の鳩目器を用いて手動又は半自動で同じ間隔で鳩目穴をあけて、縦長のビニールの縦のコーナーの鳩目穴同志を重ねあわせ連結紐でつなぎ、ビニール・ハウスの壁を造るように構成したことを特徴とする請求項１に記載の携帯電話操作雪国、強風地域用ビニール・ハウス及び合成樹脂板ハウスと鉄棒入り合成樹脂板の構造。
【請求項３】
縦長の上部半分位までビニールを二重にしてその二重の部分を横７-８段平行に鳩目穴をあけ、各段の内部に防水コードヒーターを入れ積雪を溶かすよう構成としたことを特徴とする請求項１に記載の携帯電話操作雪国、強風地域用ビニール・ハウス及び合成樹脂板ハウスと鉄棒入り合成樹脂板の構造。
【請求項４】
ビニール・ハウス上部に制御確認用カメラを備え、携帯電話を用いて遠隔操作を可能となるよう構成したことを特徴とする請求項１に記載の携帯電話操作雪国、強風地域用ビニール・ハウス及び合成樹脂板ハウスと鉄棒入り合成樹脂板の構造。
【請求項５】
合成樹脂内部に溶接した細い鉄棒を縦横に入れ、その板の周囲の縁に正確な間隔で電動ドリルで穴をあけ、ボルトとナットで結合可能にし、屋根の積雪に耐え、また強風の壁材として使用が可能としたことを特徴とする請求項１に記載の携帯電話操作雪国、強風地域用ビニール・ハウス及び合成樹脂板ハウスと鉄棒入り合成樹脂板の構造。
【請求項６】
公知のプラスチック板を二重にし、溶接で網状に組んだ細い鉄棒を接着ボンドで結合させ、また、上部にプラスチック板、その下側に溶接した縦横の細い鉄棒を接着ボンドで結合させたことを特徴とする請求項５に記載の携帯電話操作雪国、強風地域用ビニール・ハウス及び合成樹脂板ハウスと鉄棒入り合成樹脂板の構造。
【請求項７】
ビニール・ハウス及び合成樹脂板ハウスの本体として角又は角丸パイプ、角（Ｌ字型）スチール、木を用い、屋根に合成樹脂板を用い、壁にはビニール又は合成樹脂板を用いたことを特徴とする請求項１に記載の携帯電話操作雪国、強風地域用ビニール・ハウス及び合成樹脂板ハウスと鉄棒入り合成樹脂板の構造。
【請求項８】
屋根上に太陽電池、太陽電池台を合体、屋根の頂より少々上に出るように図り、当該台をヒンジを軸に回転させ、太陽の当たる時間帯を日没まで延長できるように構成したことを特徴とする請求項１に記載の携帯電話操作雪国、強風地域用ビニール・ハウス及び合成樹脂板ハウスと鉄棒入り合成樹脂板の構造。
【請求項９】
合成樹脂板ハウスのすべてのコーナーにスチール又はステンレスチールがボルトとナットで取り付けられ、板が強風ではがれないようにするとともに、強風到来方向に合わせて、形態を二等辺三角形、又は円形、楕円形にして強風の流れを弱めるよう構成したことを特徴とする請求項５に記載の携帯電話操作雪国、強風地域用ビニール・ハウス及び合成樹脂板ハウスと鉄棒入り合成樹脂板の構造。
【発明の詳細な説明】
【技術分野】
【０００１】
本発明は、ビニール連結新方式によりビニールの機能を向上させ、太陽光の恩恵を最大限に利用、温室効果を高め農作物の育成を充実させることができ、しかも日本全国津々浦々に至るまで、地域を問わず、何時でも一年間を通じ使用が可能で、特に、雪国や強風の起きる地域においては、細い鉄棒入り合成樹脂板の使用を増やし、雪や強風に耐えられるように構成した携帯電話操作雪国、強風地域用ビニール・ハウス及び合成樹脂板ハウスと鉄棒入り合成樹脂板の構造に関する。
【背景技術】
【０００２】
従来、雪国では、ほとんど冬期はビニール・ハウスを用いていないのが現状。雪に耐えられるビニールの使用法は存在せず、春や秋の取り付け取り外しには手間がかかり、生産が成り立たなかった。そのせいか、今日まで、北日本一帯では、ビニール・ハウスの使用数は、著しく少なく土地の大半は休眠状態をやむなくされていた。同様に、強風や台風の多い地域においてもビニール・ハウスの使用件数は少数に留まっている。また日本各地でも数年おきの大雪や大型台風のために農家ではビニール・ハウスの対応に苦慮している。こうした現状の中で、本発明は、ビニールの連結に新方式を完成し、取り付けや取り外しを容易にするなどでビニールの活用の範囲を広め、機能をたかめることに成功、今後の世界経済の変化や、大きな発展のうねりを考えると、農業に新進路の展開を約束するとともに日本各地域における新規農業の着手、発展に多大に寄与、貢献し、新名産物の登場を大いに期待させそのチャンスを拡大させるものである。
【発明の概要】
【発明が解決しようとする課題】
【０００３】
本発明は、今日に至るまで休眠状態に置かれていた、雪国をはじめ強風の被害の大きい地域の温室栽培に活路を開き、こうした農業による栽培に大きな障害となっていた雪や強風による脅威を克服し農業に多角的生産を可能にする新規の技術を提供するものである。これが本発明のビニール連結新方式で、この新方式による携帯電話操作雪国、強風地域用ビニール・ハウス及び合成樹脂板ハウスと鉄棒入り合成樹脂板の構造は、こうした雪や強風による障害や脅威から農家を解放し、さらに温室栽培の拡大とともに生産の多角化を加速させる可能性を秘めている。低温下の雪に耐えられるビニールの使用法、取り付け取り外しを容易にする連結方式を考案、ビニール・ハウスや合成樹脂板ハウスの広範な使用が可能となり、これに特に、大雪や強風の対策として必要とされる細い鉄棒入り合成樹脂板の構造を組み合わせて完全を期した。  
【課題を解決するための手段】
【０００４】
本発明の上記の目的は、鳩目器を用いて、ビニールの縁に鳩目穴をあけて連結紐でつないで仕上げたビニール壁を主体として築くよう構成したビニール・ハウスより達成される。ビニール・ハウスの上部中央には、細長いビニール巻取り器を備え、その横側には制御室を配備、モーター、ギア、巻取り器を作動、ＩＣ制御によりその働きが制御される。また同じく上部には制御確認用カメラを設置、携帯電話を用いた遠隔操作を可能とした。
【０００５】
また本発明のその他の特徴とするところは、これと並んで、用いられる合成樹脂内部に溶接した細い鉄棒を縦横に入れてその板の周囲の縁に所定の間隔で開けた穴にボルトナットで結合して造る壁材を組み合わせて築く合成樹脂板ハウス。この合成樹脂板は、公知のプラスチック板を二重にして内部に溶接で細長い鉄棒を組み込み接着ボンドで組み合わせて造ったものである。
【０００６】
さらに、本発明の他の特徴とするところは、屋根上に太陽電池プラス太陽電池台を設け電源としていることである。屋根の頂より少々上に出すように工夫し、台をヒンジを軸に回転させ太陽光の当たる時間帯を日没前まで延長した。
【発明の効果】
【０００７】
本発明の携帯電話操作雪国、強風地域用ビニール・ハウス及び合成樹脂板ハウスは、大雪や強風に十分耐えられるように構成されており、ビニールを二重にして使えるようにその結合に鳩目器を使い、鳩目穴をひもで結ぶなどの配慮がなされ考案されている。このような結合は、ビニールの取り付け取り外しを容易にする効果があり、それだけビニールの使用範囲を広げ、多角的な農業の可能性が高くなる。一方、合成樹脂板ハウスは、樹脂板の内部に溶接した細長い鉄棒を組み込むことで、温室ハウスに合成樹脂を使うことを可能にし補強や軽量化とともにその構築が容易になった。その上、合成樹脂板ハウスのすべてのコーナーにスチール又はステンレススチールがボルトとナットで取り付けられ板が強風にはがされないようにした。さらに、強風の到来方向に合わせて形態を二等辺三角形、円形または楕円形にして強風の流れを弱める工夫をしている。こうしたビニールの連結方式や合成樹脂板の構造は、雪や強風の脅威にさらされ休眠同然であった雪国や強風地域の温室農業の潜在可能性を高め、さらに携帯電話を使用する遠隔操作と、カメラの使用で画像による時々刻々の状況の把握を可能にする動作の即応的働きが加わって、人手を要する農業の多角化に対する農家の要望に十分応える効果を奏ものと期待される。また、電源には太陽電池が使用され、省エネルギー化にも十分配慮している。
【図面の簡単な説明】
【０００８】
【図１】上部巻取機能付雪国、強風地域用ビニール・ハウス及び合成樹脂板ハウスの斜視図である。
【図２】制御器及びビニール巻取り器とビニールの重なりを示した図である。
【図３】コードヒーター入りビニールの重なり具合の説明図である。
【図４】スチール棒及び金網入り合成樹脂板の図である。
【図５】図４のＥラインの断面図である。
【図６】（Ａ）合成樹脂板二枚にスチール棒及び金網を挟み接着剤で留めた様態の断面説明図である。（Ｂ）公知の合成樹脂板にスチール棒および金網を接着ボンドで張りつけた様態の断面説明図である。
【図７】上部巻取り機能付き雪国用ビニール・ハウスの平面図である。
【図８】図７のＦラインの断面図である。
【図９】地下貯水槽周辺の断面説明図である。
【図１０】屋根合成樹脂板使用ビニール・ハウスの側面図である。
【図１１】ビニール・ハウス内空気漏れ防止ビニールの説明図である。
【図１２】ビニール・ハウス屋根上に太陽電池を用いた様態の斜視図である。
【図１３】図１２をＨライン方向より斜視した図である。
【図１４】ビニール・ハウス屋根片流れ上に太陽電池台をセットした様態の側面図である。
【図１５】強風地域用合成樹脂板主体の斜視図である。
【図１６】図１５の正面説明図の一部である。
【図１７】図１５の組合せ及び接続を示す拡大断面説明図の一部である。
【発明を実施するための形態】
【０００９】
以下添付図面を参照しながら本発明の携帯電話操作雪国、強風地域用ビニール・ハウス及び合成樹脂板ハウスと鉄棒入り合成樹脂板の構造の実施例１について説明する。
図１は上部巻取機能付き雪国、強風地域用ビニール・ハウス及び合成樹脂板ハウスの斜視図である。本実施例に係る携帯電話操作ビニール・ハウスの上部中央にはビニール巻取り器１、制御装置、モーター、ギア等を備える。ビニールには、幅１．５メートル前後の公知の厚手を用いており、そのコーナーには鳩目穴が多数開けられ、紐７を通してつないでいる。春、夏、秋はそのまま使い、冬期（雪の降る期間）は下側や横側にある結び紐１３を解いて１、２の機能によりビニール４を巻き上げ、そのケース内に収納、越冬させる。ビニールのつなぎ幅は、横３枚では４．５メートル（１．５メートルｘ３）４枚では６メートル（１．５メートルｘ４）、故に幅全体は３メートル―７．５メートル程度が適当である。
【００１０】
ビニール巻取り器ケースはトタン製、硬質プラスチック製等で、ビニールは内部にぴったり納まる構造になっている。当該巻取りケースの上部に雪が積もっても巻取り器は円形で幅が狭いので、雪は自動的に落下する。尚、巻取り器ケース内部には、ビニールが巻き取られる時に傷がつかないようにクッション性のある素材（例えば、布帯ソフト発泡スチロール）が接着ボンドで付けられている。ビニールの下側には雨水溝が置かれ、地下貯水槽に水が溜められる。（図９参照）水は、畑の作物に使用。（図示されていない）又、ＩＣ制御では、リモートコントロールや携帯電話操作が可能となる。
【００１１】
図２，３に示すように、厚手のビニールを重ねて縦につなぐことにより強度が増し、屋根や外壁を守り巻取り器による巻き上げ降し動作が容易になった。ビニールの厚みと重さによるものである。多少のコスト高は、長期にわたる使用で帳消し。ビニール全体の縁に並んだちいさな鳩目穴については、公知の鳩目器を用いて手動又は半自動で、ビニールの両側から挟んで開ける。ビニールの上下、左右の端には、一列ずつ鳩目穴を同間隔で開け、ビニールの縦のコーナー同志を重ねあわせ連結紐７でつなぎ、結び紐１３で上部巻取り器に結び付ける。又、下部の裾の結び紐１３をスチールパイプまたはスチール等に結び付け安定させる。冬期にビニール全体を巻き取る時は、下部結び紐を外す。さらに、ビニールの縦の左右には、必要に応じ結び紐１３の追加取り付けが可能で、（図示されていない）ビニール全体が風で揺れるのを防ぐ。
【００１２】
尚、図３の上約半分まで短いビニールが二重になっていて多数の鳩目穴があり通路をつくり、その中にコードヒーターを入れた。積雪の下側を早めに溶かして雪を落下させるためである。当該コードヒーターの温度は、サーモスタットでコントロールされている。（図示されていない）これらの動作には、ＩＣ制御によるリモートコントロールも可能であるが、畑までの距離を考えれば、カメラを取り付け、携帯電話による遠隔操作もでき便利である。
【００１３】
図４に示す合成樹脂板１７には、溶接した細い鉄棒及び金網等１６が配される。一方、透明合成樹脂板には、太陽光を室内に入れる働きがある。同時に室内の温度を上昇させ温室効果を補う。合成樹脂材の周囲全体に電気ドリルにより正確な間隔で穴をあけ素材として用いる。当該合成樹脂板は屋根壁材として用いられ、ハウス本体の適当な箇所に、角スチールパイプ、角スチール又は木に重ね合わせながらボルトとナットで結合させる。この方式により日本全国どこでも使用が可能な積雪や強風に十分耐えられる構造を有するビニール・ハウス及び合成樹脂板ハウスが構築でき、前二件の利点を組み合わせることで、機能は一層充実する。
【００１４】
図６は、公知の販売されている合成樹脂板を利用しながら得られるもので、（Ａ）は合成樹脂を二重にして、その内部にスチール棒を入れた際の断面説明である。（Ｂ）は、合成樹脂板に溶接した縦横の細い棒を網状にして接着剤で付けた際の断面説明図である。
【００１５】
図７，８はいずれも上部巻取機能付き雪国、強風地域用ビニール・ハウス及び合成樹脂板ハウスの平面図である。これはまた冬期の農作物を育てている実施例でもある。即ち、秋には種をまき、苗を植え付け、早春には収穫が可能という有様。当該ビニール・ハウス及び合成樹脂板ハウスの本体は、角パイプ、角スチール、木等によって組み立てられる。その上部の屋根の位置には、スチール棒入り合成樹脂板１７が隙間なく敷き詰められる。合成樹脂屋根上部には、ビニール巻取り器並びに制御装置と、モーター、ギアが設置され、その働きで、ビニール全体を吊上げており、必要時にビニールを完全に巻取り越冬が可能である。そのビニールは二重になっていて（２分の１）、内部はサーモスタット付きで、コードヒーターが配されており。積雪の下側の雪を早めに溶かし落下させる。別途ビニール・ハウス及び合成樹脂板ハウス内部には、暖房付の温室が備えてあり苗床つくりも可。（図示されていない）また、公知機能の細いスチール棒及びスチール・ワイヤ１９はビニールや合成樹脂板を支え，全体の強度のバランスを保つ。
【００１６】
図９に示すように、降った雪や雨が厚手ビニール４の上を流れ、雨水溝６に入り貯水槽２１の入り口でフィルターに通され貯水溝に溜まる。当該フィルターは、３-４重構造にしており汚物を完全に除去し、貯水槽の下部に設置した水中ポンプ２８を用いて定期的に農作物への給水が可能となる。その際、手動も、自動も可能であるが、タイマーを用いて自動化すれば作業が一層楽になる。貯水槽は、常時一様に満たんとなる構造になっていて、雨水が不足しても農業用水路から水を取り入れることは可能である。（図示されていない）又、貯水槽を大きくすると冬の積雪を早く溶かすため水中ポンプを使って屋根の頂に水をかけることもできる。その時屋根までのホースにはコードヒータを巻きつける。（図示されない）尚、水槽は、合成樹脂か繊維パネルを用いて造り、ボルト、ナットと接着ボンドで結合すれば十分で、コストも安く製造も容易。
【００１７】
図１０に示すのは、屋根合成樹脂板使用例のビニール・ハウスの側面図である。前項の図２，３でビニールの重ね方について説明した。同様に、図４，５，６において、合成樹脂板についても説明した。ここの屋根は、両側に分かれ傾斜度を保って下っているので、多少雪が積もっても太陽光で溶けて落下する。ビニールの高さは結構あるが、連結紐の働きで安定している。特に、ビニール同士のつなぎ方は、本考案の特徴の一つである。尚ビニールの下側には、細いスチール棒１９が配されており、沢山の結び紐を結ぶことが可能である。
【００１８】
図１１に示すのは、空気漏れ防止細長ビニールの説明図である。一基のセットのビニール巻き取器の幅は約６-７メートル、ビニール全体では、五基が二列に配列されている。本説明図は、ビニール４とビニール４との間に生じる隙間を細長いビニールを使って防止している様態を説明する。尚、雨水溝にビニールが重なっている部分は、間隔を置いて裏側より布ガムテープ等で留めている。その他のビニール裾は下側より空気が漏れることがあり、それを防ぐために、ソフト発泡スチロール布を５、６回巻いて筒状にし布のガムテープで留めて固定させる。（図示されていない）
【００１９】
図１２，１３，１４について説明する。屋根上には太陽電池が置かれている。当該太陽電池２８は太陽光を受けて、１２時には上空方向に面して位置するが、２時前には、面する位置が移動して、太陽光を受けられなくなる。そこでその前に制御室３４（ＩＣ制御、モーター、ギア、巻取り器、滑車等）が作動し、スチールワイヤー３２を徐々に引くと、太陽電池台、と太陽電池が回転ヒンジを軸として回転位置を縦に変更する。太陽電池は、夕方まで午前中と同じ条件で太陽光をキャッチでき、年間でいえば、消費電力の１．４倍の電気の製造が可能である。太陽電池台は、軽い素材を使用、台も１０センチメートルの長方形の枠型で軽量である。（図示されていない）また、引っ張る回数は１日１回、戻すのも一回である。上下１４-２０個の滑車を用い、使用電力は少なくて済む。尚、太陽電池台回転オーバー止めロープ３７の働きで台はそれを超えて動かない構造になっている。日没前に合わせてモーターが巻き取りテープを徐々に緩めると太陽電池台はその重みで元の位置へ戻る。動きを静止させる固定ロック機能の取り付けも可。（台風用）台の着地のためのクッション用スプリングが太陽電池台の片側下部についている。図４も同じ機能の使用を示しており、屋根のみの片流れの働きが分る。
【００２０】
図１５，１６，１７について説明する。図１５は、強風地域用合成樹脂板ハウスの斜視図である。コーナースチール（またはステンレススチール）３９がボルトとナットにより角スチールパイプ上に止められている。（図示されていない）４３は台風の到来方向を示している。合成樹脂板ハウスの形態は、台風の到来方向に合わせて二等辺三角形にされていて、強風の力を削いでいる。（半円形、半楕円形、変形三角形等も可）コーナースチール３９には強風により合成樹脂パネルがはがれないようにする働きがある。図１６は、合成樹脂板が、ボルトとナットにより合成樹脂板ハウス本体に据え付けられている様態の正面説明図である。また図１５に示すように、強風地域用合成樹脂板ハウスにおいてその一部にトタン等の素材を用いることは可能である。図７は、図１５の角スチールパイプ、角Ｌ字型スチール、木の組み合わせ（合成樹脂板ハウスの本体）についての拡大断面説明図の一部である。ビニール・ハウス及び合成樹脂板ハウスは、角スチールパイプ、角Ｌ字型スチール、と木を組み合わせて構成する。（詳細は図示されていない）すべてはボルトとナットまたは溶接で接合されている。
【産業上の利用可能性】
【００２１】
雪国や強風地域の温室栽培農業は、ビニール・ハウスが雪や強風に晒され、使用が不能の状態に陥り、休眠状態をやむなくされてきた。その為、これらの地域の温室栽培は、この期間に停滞し温室栽培の活用とともに可能となるはずの農業の多角化が大幅に疎外されたまま今日に至っている。その最大の理由は、太陽光線を豊富に取り入れるために必要とされながら、透明なビニール材の使用方法が旧態然とした状態にとどまっていること、本来のビニール材自身が雪や雪による低温により変質する性質を持っていること、強風に負けて吹き飛ばされるなど材質そのものにも問題があったと言える。今回の発明は、ビニールを二重三重に重ねあわせることで、ビニール自身の耐力を格段と増大させ、さらに寒さによる材質の変化を太陽電池の使用により室内温度の適正化を図ることによって、最小限にとどめることも可能となった。さらには携帯電話の使用によって、機器の動作の遠隔操作が可能となるなど特に使用において障害の一つとなっていた取り付け取り外しに要する人力を大幅に削減するものとなっている。これらはすべて、ビニールを連結する新しい方式を考案し積雪に伴う雪自身の重量が加える過大な圧力による変形を克服し、農産物の安全を最大限に確保し、そのうえ、変形の少ないビニールを通して存分に豊富な太陽光の採光も可能になったからである。一方、ビニール・ハウスにとどまらず、合成樹脂板の内部にスチール棒を網状にして配するという構造は、温室栽培に合成樹脂板を使用することも可能にし、特に強風地域の温室を吹き飛ばす風の脅威から農家を解放し、温室栽培を大いに活用できる農業の多角化へと前進する農家を加速的に増大させるものと期待させる。このことは、国土の面積が小さく、耕地面積も限られてきた我が国の農業を活気づかせ、可能な限り多種多彩な農産物を市場に送り、農産物の需要を飛躍的に高めるとともに地場産農産物の輸出にも活路を開き、農家の生活をより豊かにすることが期待できる。こうしたビニール・ハウスの使用の増大自身が、ビニールそのものの生産を拡大させることも確かである。
【符号の説明】
【００２２】
１  ビニール巻取り器
２  制御装置とモーター、ギア
３  角スチールパイプ、角Ｌ字型パイプ、木の組合わせ体（ビニール・ハウス及び合成樹脂板ハウスの本体）
４  厚手ビニール（壁材）
５  出入り口ドア
６  雨水溝
７  連結紐（公知の強い木綿紐又は細いワイヤ等）
８  鳩目穴（公知の手動又は自動式の鳩目器にて穴をあける）
９  プラスチック板（市販のもの）
１０  下側ビニール重なり表示線
１１  電源コード
１２  サーモスタット付コードヒーター
１３  結び紐又は極細ワイヤ
１４  ビニール重ね方向を示す線
１５  下側に二重ビニールありの表示
１６  細いスチール棒及び金網
１７  スチール棒入り合成樹脂板（屋根及び壁材）
１８  接着ボンド
１９  公知機能の細いスチール棒及びスチール・ワイヤ
２０  土
２１  貯水槽
２２  フィルター
２３  オーバーフロー
２４  雨水
２５  鉄筋コンクリート土台
２６  ビニール吊り結び表示
２７  補助細長ビニール（ビニール・ハウス内空気漏れを防ぐ働き）
２８  太陽電池パネル
２９  屋根の頂
３０  太陽電池パネル台
３１  太陽電池パネル台回転牽引のための滑車取付箇所（カバーあり）
３２  スチールワイヤロープ
３３  スチールワイヤロープ及び滑車カバー
３４  制御室（ＩＣ制御、モーター、ギア、巻取り器、滑車等）
３５  太陽電池パネル回転機能ヒンジ
３６  クッション用スプリング及びソフトマット（図示されていない）
３７  台回転オーバー止めロープ（またはスチール・ワイヤ）
３８  カメラ（携帯電話確認操作用）
Ｈ  図２を斜視する方向を示している
３９  コーナースチール（またはステンレススチール）
４０  雨流れ中央ドレイン  
４１  合成樹脂板重なり表示ライン  
４２  合成樹脂板
４３  台風到来方向表示線
４４  ボルトとナット（小）
４５  ボルトとナット（大）
４６  角パイプスチール（合成樹脂板ハウスの本体）
４７  角Ｌ字型スチール（合成樹脂板ハウスの本体）
４８  木              （合成樹脂板ハウスの本体）
【図１】
2014204703.tif 000003
【図２】
2014204703.tif 000004
【図３】
2014204703.tif 000005
【図４】
2014204703.tif 000006
【図５】
2014204703.tif 000007
【図６】
2014204703.tif 000008
【図７】
2014204703.tif 000009
【図８】
2014204703.tif 000010
【図９】
2014204703.tif 000011
【図１０】
2014204703.tif 000012
【図１１】
2014204703.tif 000013
【図１２】
2014204703.tif 000014
【図１３】
2014204703.tif 000015
【図１４】
2014204703.tif 000016
【図１５】
2014204703.tif 000017
【図１６】
2014204703.tif 000018
【図１７】
2014204703.tif 000019